(57)【要約】【課題】  ケーブルダクトが自由な屈曲とケーブル分岐ができ、そのケーブルの収納作業を容易にしてコストダウンを図る屈曲可能なケーブルダクトの製造方法とそのケーブルダクトを得ること。【解決手段】  接続係止体を設けた板状ケーブルダクト体を平板状に押出成形する行程と、該板状ケーブルダクト体に折曲切除部をプレスなどで形成する行程を有する屈曲可能なケーブルダクトの製造方法及びそのケーブルダクト。  また、ケーブルダクトを上下左右、若しくは自由屈曲できるように、折曲切除部と折曲部を所定位置にそれぞれずらして形成し、さらにケーブルを分岐取り出しできるように分岐口を形成するための切取基準部を折曲切除部近傍に形成し、加えてケーブルダクトの内側にケーブル保持体を設けている。【選択図】図１
2008206382.tif 000002
【特許請求の範囲】
【請求項１】
変形回復力を有する軟質及び硬質を兼ね備えたオレフィン系樹脂（ＰＰ、ＰＥ）のマトリックスにオレフィン系ゴム（ＥＰＲ、ＥＰＤＭ）を微分散させた熱可塑性エラストマーを用いて押出成形の工程とプレス加工の工程により接続係止体を有するケーブルダクトの製造方法に於いて、該ケーブルダクトを該両端部にそれぞれ接続係止体を設けた平面略板状の板状ケーブルダクト体を押出成形する行程と、
該押出成形された板状ケーブルダクト体の所定位置の要部に折曲切除部をプレスなどで形成する行程を有することを特徴とした屈曲可能なケーブルダクトの製造方法。
【請求項２】
変形回復力を有する軟質及び硬質を兼ね備えたオレフィン系樹脂（ＰＰ、ＰＥ）のマトリックスにオレフィン系ゴム（ＥＰＲ、ＥＰＤＭ）を微分散させた熱可塑性エラストマーを用いて押出成形した接続係止体を有するケーブルダクトに於いて、平面略板状で該両端部にそれぞれ接続係止体を有する板状ケーブルダクト体であって、該板状ケーブルダクト体の所定位置の要部に折曲切除部を形成したことを特徴とする屈曲可能なケーブルダクト。
【請求項３】
板状ケーブルダクト体の両端部の接続係止体で閉じた状態に形成したそのケーブルダクトが、上下左右、若しくは自由屈曲できるように、板状ケーブルダクト体の該上下左右、若しくは自由屈曲に対応する位置に折曲切除部を形成すると共にその上下左右、若しくは自由屈曲に対応する位置のその所定部分を残して折曲部として形成したことを特徴とする請求項２の屈曲可能なケーブルダクト。
【請求項４】
板状ケーブルダクト体の両端部の接続係止体で閉じた状態に形成したそのケーブルダクトであって、折曲切除部に挟まれる間のその面を切除してケーブルを分岐取り出しできるように、その各折曲切除部との間に挟まれる間の面の所定位置に略Ｖ字状にカットした切取基準部を形成したことを特徴とする請求項２又は請求項３の屈曲可能なケーブルダクト。
【請求項５】
板状ケーブルダクト体の両端部の接続係止体で閉じた状態に形成したそのケーブルダクトの内側の所定位置にケーブル保持体を設けたことを特徴とする請求項２から請求項４の屈曲可能なケーブルダクト。
【発明の詳細な説明】
【技術分野】
【０００１】  本発明は、ケーブルダクトを上下左右に屈曲させる構造と所定形状に閉じるための接続係止構造を持つケーブルダクト及びその製造方法に関する。
【背景技術】
【０００２】  従来、ケーブルダクトの屈曲構造は、本願出願人が出願した、端面が略四角形状の中空体で、一辺が二重に重なり合うその辺で閉じる構造であって、該四角形状で重なり合う辺が若干開いた状態で押出成形し、成形後、その一辺の二重に重なり合う部分から開くように展開して、略門字状の状態に保持し、その状態で上面となる部分を打ち抜き又はドリリングなどの穴開け又は切り込みなどスリットを追加加工により形成して成る屈曲可能なケーブルダクトを形成し、ケーブルを収納する時、該二重に重なり合う辺を内外逆に入れ替えて重ねた状態にし、その辺の形状および材質の弾性を利用して閉じる一方向に屈曲可能なケーブルダクトの製造方法及びそのケーブルダクトがある。（例えば、特許文献１参照）【０００３】  また、本願出願人が出願した他の出願のケーブルダクトは、押出成型により下辺中央部が開いた略台形状で成形すると共に要部を切断加工することによってケーブルダクトが一方向に屈曲可能となり、また下辺のその分離した部分の接続係止構造で、ケーブルを収納した時の所定形状に形成する屈曲可能なケーブルダクトを閉じるための接続係止構造がある。（例えば、特許文献２参照）【０００４】  さらに、自由に屈曲するケーブルを保護する構造は、一般的に知られているスパイラルに形成された略チューブ状の物があり、束状のケーブルの上からスパイラル状に巻いて自由に屈曲させてケーブルをまとめ保護するものが産業用機械装置などの配線に多く用いられ、またパソコン周辺機器のケーブルの取り纏めにも用いられ、良く知られている。【０００５】
【特許文献１】  特願２００６−１２８６７６号公報
【特許文献２】  特願２００７年２月１４日提出の特許願
【発明の開示】
【発明が解決しようとする課題】
【０００６】  上述した特許文献１のケーブルダクトは、端面が略四角形状の中空体で、一辺が二重に重なり合うその辺で閉じる構造で、該四角形状で重なり合う辺が若干開いた状態で押出成形されており、次の行程でケーブルダクトの上面から打抜き又はドリリングなどでスリットなどの切込み又は穴を追加加工する時、該ケーブルダクトを開きながらの切断作業で、繁雑で手間が掛かると共に切断加工されたケーブルダクトにケーブルを収納する時も、ケーブルダクトを押し開きながら収納する必要があり、収納作業が煩雑で手間が掛かっており改善が求められていた。【０００７】  また、ケーブル収納後、ケーブルダクトを閉じた状態で保持するのに二重に重なり合う辺の形状および材質の弾性を利用しており、このことにより該ケーブルダクトを繰返し屈曲させるように使用すると、その曲げ歪みによりケーブルが二重に重なり合う該一辺の隙間に入込む可能性があり、それによりケーブルの心線が断線する可能性もあり、また、ケーブルダクトから途中分岐ができなかったので改善が求められていた。【０００８】  そして、そのケーブルダクトの屈曲は、一方向にしか屈曲できないので限られた装置に限定され、汎用性が無く、そこで簡易に上下左右に屈曲させて汎用に使用できる物が求められていた。【０００９】  さらに、従来の特許文献２の屈曲可能なケーブルダクトを閉じるための接続係止構造も、上述特許文献１と略同様で、ケーブルダクトを押し開きながらスリット、穴などの追加加工をし、また同様に押し開きながらケーブルを収納する必要があり、よって追加加工、収納作業が煩雑で手間が掛かっており、またケーブルダクトの屈曲も一方向にしか屈曲できないので、簡易に上下左右に屈曲させて汎用に使用でき、さらに途中分岐ができる物が求められていた。【００１０】  加えて、一般的に知られスパイラル状の結束ケーブル保護部材は、簡易で、多方向に屈曲できるが、長いケーブルを巻きながらの作業は非常に手間が掛かり、一旦巻き終わり、追加でケーブルを加える又は途中でケーブルの分岐変更をする場合、一旦ほどく必要があり、非常に手間な作業で簡易に変更ができなかった。【００１１】  そして、特に、パソコンなどの周辺機器のケーブルは、非常にケーブルに曲がりクセが付いてケーブルダクトに収納するのに、煩雑で手間が掛かり、加えてその曲がりクセの付いたケーブルを収納した状態では、該ケーブルが邪魔になりケーブルダクトを閉じるための接続係止する嵌合作業に手間取り、上述する従来例に共通して作業効率が悪かった。【００１２】  また、近年発達して一般家庭にも引き込まれて一般化されつつある通信用の光ファイバーケーブルは、細くて断線しやすく、ケーブル変形による伝送速度の低下を招くこともあるので、通常ケーブルと混在させて該ケーブルダクトに収納することは、断線、伝送速度の低下などの問題が起こる可能性があり、特に、屈曲、室内配線の取り扱いには注意を要し、これらを解決することが求められていた。
【課題を解決するための手段】
【００１３】    本発明は、上記課題を有効に達成するための第一の解決手段として、ケーブルダクトを押出成形する製造方法に於いて、平面略板状の板状ケーブルダクト体で、該両端部にそれぞれ接続係止体を設けた形状で押出成形する行程と、
該押出成形された板状ケーブルダクト体の所定位置の要部に折曲切除部をプレスなどで形成する行程で製造することで、屈曲可能なケーブルダクトとするための折曲切除部をプレスなどで容易に形成することが出来る。【００１４】  また、第二の解決手段として、押出成形されたケーブルダクトが平面略板状で該両端部にそれぞれ接続係止体を有する板状ケーブルダクト体であって、該板状ケーブルダクト体の所定位置の要部に折曲切除部を形成しているので、該ケーブルダクトにケーブルを収納する時、容易となる。【００１５】  また、第三の解決手段として、板状ケーブルダクト体の両端部の接続係止体で閉じた状態に形成したそのケーブルダクトが、上下左右、若しくは自由屈曲できるように、板状ケーブルダクト体の該上下左右、若しくは自由屈曲に対応する位置に折曲切除部を形成すると共にその上下左右、若しくは自由屈曲に対応する位置のその所定部分を残して折曲部として形成することで、ケーブルダクトを上下左右又は自由屈曲することができるので、配線場所を自由に設定することができる。【００１６】  また、第四の解決手段として、板状ケーブルダクト体の両端部の接続係止体で閉じた状態に形成したそのケーブルダクトであって、折曲切除部に挟まれる間のその面を切除してケーブルを分岐取り出しできるように、その各折曲切除部との間に挟まれる間の面の所定位置に略Ｖ字状にカットした切取基準部を形成することで、ケーブルダクトを上下左右又は自由屈曲させると共にケーブルを所定方向に分岐配線ができる。【００１７】  また、第五の解決手段として、板状ケーブルダクト体の両端部の接続係止体で閉じた状態に形成したそのケーブルダクトの内側の所定位置にケーブル保持体を設けているので、断線など影響を受けやすい光ケーブル、また通常ケーブルとそれぞれ収納でき、さらに曲がり癖が付いたケーブルなどの収納も容易に行える。
【発明の効果】
【００１８】  本発明は、上述した手段によって有効な効果が得られるようにしたもので、特に、第一の発明の製造方法において、変形回復力を有する軟質及び硬質を兼ね備えたオレフィン系樹脂（ＰＰ、ＰＥ）のマトリックスにオレフィン系ゴム（ＥＰＲ、ＥＰＤＭ）を微分散させた熱可塑性エラストマーを用いて押出成形の工程とプレス加工の工程により接続係止体を有するケーブルダクトの製造方法に於いて、該ケーブルダクトを該両端部にそれぞれ接続係止体を設けた平面略板状の板状ケーブルダクト体を押出成形する行程と、
該押出成形された板状ケーブルダクト体の所定位置の要部に折曲切除部をプレスなどで形成する行程を有する製造方法で製造されるので、
平面略板状の板状ケーブルダクト体として押出成形されるので、板状のそのままの状態で屈曲可能なケーブルダクトとするための折曲切除部をプレスなどで容易に形成することができるので、作業工程が簡略化でき、コストダウンとなる。【００１９】  また、第二の発明のケーブルダクトにおいて、変形回復力を有する軟質及び硬質を兼ね備えたオレフィン系樹脂（ＰＰ、ＰＥ）のマトリックスにオレフィン系ゴム（ＥＰＲ、ＥＰＤＭ）を微分散させた熱可塑性エラストマーを用いて押出成形した接続係止体を有するケーブルダクトに於いて、平面略板状で該両端部にそれぞれ接続係止体を有する板状ケーブルダクト体であって、該板状ケーブルダクト体の所定位置の要部に折曲切除部を形成しているので、
ケーブルダクトにケーブルを収納する時、板状ケーブルダクト体を平面略板状の状態で、ケーブルをそこに乗せるようにして収納し、接続係止体で係止する事で閉じて収納作業が完了するので、ケーブル収納作業が簡易で容易となり、またケーブルを追加収納、若しくは取り除く時、従来のスパイラルタイプのケーブル保護材のように、煩雑で手間が掛からず、接続係止体を外すと平面略板状に開くので、追加収納、若しくは取り除きが容易に行える。【００２０】  また、第三の発明の板状ケーブルダクト体において、板状ケーブルダクト体の両端部の接続係止体で閉じた状態に形成したそのケーブルダクトが、上下左右、若しくは自由屈曲できるように、板状ケーブルダクト体の該上下左右、若しくは自由屈曲に対応する位置に折曲切除部を形成すると共にその上下左右、若しくは自由屈曲に対応する位置のその所定部分を残して折曲部として形成しているので、
折曲切除部を形成する位置によってケーブルダクトが上下左右又は自由屈曲することができるので、パソコン及び周辺機器などをディスク周りに配置する場合、配線場所の制約が少なくパソコン周りの煩雑な配線を綺麗に整理できる。【００２１】  また、第四の発明の板状ケーブルダクト体において、板状ケーブルダクト体の両端部の接続係止体で閉じた状態に形成したそのケーブルダクトであって、折曲切除部に挟まれる間のその面を切除してケーブルを分岐取り出しできるように、その各折曲切除部との間に挟まれる間の面の所定位置に略Ｖ字状にカットした切取基準部を形成しているので、
ケーブルダクトを上下左右又は自由屈曲させると共に所定の位置の切取基準部からその面の要部を切除できるので、その切除部からケーブルを分岐して取り出し、所定方向に分岐配線が容易にできる。【００２２】  また、第五の発明の板状ケーブルダクト体において、板状ケーブルダクト体の両端部の接続係止体で閉じた状態に形成したそのケーブルダクトの内側の所定位置にケーブル保持体を設けているので、
該ケーブル保持体に断線など影響を受けやすい光ケーブルを収納する事で、ケーブルダクトの閉じる作業が気を遣うことなく簡易にでき、またケーブル保持体の外側に通常ケーブルを収納することで分けて収納ができ、さらに曲がり癖が付いたケーブルなどを収納する時は、ケーブル保持体に収納する事で、ケーブルダクトの閉じる作業が容易で、保持体にシールドすることでケーブルダクト内に信号線と電力線などノイズを含む線と混在でき、ノイズ対策もできる。
よって、これらのことから本発明は、実用上著大な効果を奏する。
【発明を実施するための最良の形態】
【実施例】
【００２３】  本発明の実施例を図面に基づいて説明すると、図１及び図２に示す第二の発明において、１はケーブルダクトで、該ケーブルダクト１は、端面形状が略四角形状の中空体で、該四角形状のケーブルダクト下面部１ａ中央に接続係止体２を形成し、その上部の左右にケーブルダクト側面部１ｂ、１ｃと上面をケーブルダクト上面部１ｄとして、板状ケーブルダクト体１ｅにそれぞれ押出成型機により押出成形される。【００２４】  また、第三の発明において、該板状ケーブルダクト体１ｅのケーブルダクト下面部１ａ側を切除せずにケーブルダクト側面部１ｂ、１ｃとケーブルダクト上面部１ｄを横断するようにスリット状に切除して下面折曲切除部３として形成し、他の切除部も同様にケーブルダクト上面部１ｄを切除せずに他のそれぞれの面を切除して上面折曲切除部４とし、また左右のケーブルダクト側面部１ｂ、１ｃをそれぞれ切除せずに残して形成する左側面折曲切除部５と右側面折曲切除部６をそれぞれ形成すると共に板状ケーブルダクト体１ｅの長手方向に所定間隔で上記下面折曲切除部３、上面折曲切除部４、左側面折曲切除部５と右側面折曲切除部６を繰り返し連続して形成している。【００２５】  また、図２に示す接続係止体２は、ケーブルダクト下面部１ａの先端側が略同様の略Ｕ字状にそれぞれ形成され、該Ｕ字状が対向して掛け合いするように一方端にＵ字状係止部７と他方端にＵ字状係止部７ａをそれぞれ形成している。【００２６】  該Ｕ字状係止部７は、ケーブルダクト下面部１ａに繋がる略Ｕ字状の一方の先端と段差を持って形成し、他方の先端部との間を挿入口部８として略Ｕ字状の係止部を形成すると共に前記繋がる段差の角の部分を基端掛止部９とし、該挿入口部８から奥を誘導部１０として形成している。【００２７】  また、他方端のＵ字状係止部７ａは、他方端のケーブルダクト下面部１ａに繋がる略Ｕ字状で、該略Ｕ字状に若干開いた状態に角度を付けて形成することで該Ｕ字状係止部７ａが挿入口部８に挿入しやすくすると共に略Ｕ字状のその曲がる曲部を当接掛止部１１として形成し、上記挿入口部８からＵ字状係止部７に掛け合い嵌合した時、その基端掛止部９に該当接掛止部１１が当接掛止する。【００２８】  しかして、第一の発明の製造工程において、図３に示す該板状ケーブルダクト体１ｅは、平面板状の両端部に端面形状が略Ｕ字状のＵ字状係止部７とＵ字状係止部７ａをそれぞれ設けて接続係止体２として押出成型機により押出成形される製造の第一行程で、図中、１２は、端面形状が略四角形状の中空体のケーブルダクト１に形成される時の折曲げしろのＶ溝１２である。【００２９】  なお、ここで押出成形される板状ケーブルダクト体１ｅの材質に関して、変形回復力を有する軟質及び硬質を兼ね備えたオレフィン系樹脂（ＰＰ、ＰＥ）のマトリックスにオレフィン系ゴム（ＥＰＲ、ＥＰＤＭ）を微分散させた熱可塑性エラストマーで、この熱可塑性エラストマーは、弾性変形による回復性と、所定硬度で柔軟性の特性を考慮して選ばれる。【００３０】  また、第二行程は、図４に示すように、第一行程で押出成形された平面板状の板状ケーブルダクト体１ｅを上からプレスなどで、下面折曲切除部３、上面折曲切除部４、左側面折曲切除��５と右側面折曲切除部６をそれぞれ打抜き切除し、それを所定間隔で繰り返し連続して形成する。
なお、図中、１３は、後述する分岐口１４を開設するための切取基準部１３、１３、…である。【００３１】  しかして、このようにして製造された板状ケーブルダクト体１ｅを使用する時、図５に示すように該板状ケーブルダクト体１ｅを裏返しした状態でケーブル１５、１５を収納し、接続係止体２のＵ字状係止部７の挿入口部８にＵ字状係止部７ａの先端から奥の誘導部１０に挿入して嵌合掛止させて、図６に示すように該板状ケーブルダクト体１ｅを閉じてケーブルダクト１として形成する。【００３２】  そこで、該板状ケーブルダクト体１ｅを閉じる時の接続係止体２の係止状態は、先ず、図５に示すＵ字状係止部７の挿入口部８に若干開いた状態に角度が付いたＵ字状係止部７ａを挿入した状態で、矢印Ａ方向から押し込むように力を加える事と、該板状ケーブルダクト体１ｅの板状に戻ろうと開く力によりＵ字状係止部７の誘導部１０にＵ字状係止部７ａが挿入され、基端掛止部９に該当接掛止部１１が当接掛止して、図６に示すようにケーブル１５を収納して閉じる。【００３３】  また、図７に示す第四の発明に於いて、図４の実施例に示す板状ケーブルダクト体１ｅのものを、任意の位置の切取基準部１３、１３、…から切取り、ケーブルダクト下面部１ａとケーブルダクト側面部１ｃを切除し、それぞれ分岐口１４、１４として開設したもので、図８に示す実施例のように使用する。【００３４】  そこで、図８の実施例は、図１の実施例に示すケーブルダクト１のものを、任意の位置のケーブルダクト下面部１ａとケーブルダクト側面部１ｃの切取基準部１３、１３、…から切取り分岐口１４として開設し、該分岐口１４から所定ケーブル１５を分岐取り出しして使用する。【００３５】  また、図９に示す第五の発明に於いて、上記発明のケーブルダクト１と略同様で、相違点は、ケーブルダクト１ｆの内部に管状の保持体１６を設けると共に他の実施例の突合わせ挿入嵌合する接続係止体２ａを設けている。【００３６】  そこで、先ず、該保持体１６は、管状で長手方向に弾発変形して開閉するように切断され、該切断部の両端部に略Ｖ字状のケーブル誘導部１７、１７を形成すると共にそこを誘導挿入口１８として形成して該保持体１６にケーブル１５を容易に収納出来るようにし、また保持体１６に電磁シールドなどを施して電源などのノイズをシールドするようにすれば、ケーブルダクト１ｆと保持体１６に電源ケーブルと信号ケーブルをそれぞれに分けて収納することで、ケーブルダクト１ｆ単体で煩雑な配線がコンパクトにまとめることができる。【００３７】  また、接続係止体２ａは、ケーブルダクト下面部１ａ、１ａのその両端部の一方端に凹状係止体１９と他方端に突状係止体２０をそれぞれ形成し、該凹状係止体１９は、凹状の両先端を挿入口部２１とし、その奥に誘導保持部２２を形成すると共に該凹状の両先端部に当接掛止部２３と先端掛止部２４をそれぞれ形成し、該当接掛止部２３は、先端掛止部２４より若干短寸で先端を尖らせて形成され、一方、先端掛止部２４は、掛止部分が略受け口状に形成されている。【００３８】  そして、他方の突状係止体２０は、先端側を板状の誘導部２５とし、その基端側の上下それぞれに係止部を形成し、その上部側の係止部は、上記��接掛止部２３が当接係止するようにその先端形状に対応した凹状掛止部２６を形成し、一方、その下部側には、上記先端掛止部２４が掛止できるように、該先端形状の掛止に対応した基端掛止部２７を形成している。【００３９】  そこで、その突合わせ嵌合挿入する接続係止体２ａの係止状態は、先ず、図９に示すように凹状係止体１９の両先端の挿入口部２１に、突状係止体２０の誘導部２５を挿入した状態で、ケーブルダクト側面部１ｂ、１ｃの左右から、分割されたケーブルダクト下面部１ａ、１ａを押し縮めるように力を加えることで、凹状係止体１９の誘導保持部２２に誘導部２５が奥まで嵌入され、当接掛止部２３が凹状掛止部２６に当接掛止されると共に先端掛止部２４が基端掛止部２７で掛止される。【００４０】  しかして、図１０の他の実施例は、図９の実施例のケーブルダクト１ｆを図７の板状ケーブルダクト体１ｅ同様に任意の位置の切取基準部１３、１３、…から切取り、分岐口１４として開設し、また、保持体１６は、上記板状ケーブルダクト体１ｅをプレスなどで下面折曲切除部３、上面折曲切除部４、左側面折曲切除部５と右側面折曲切除部６をそれぞれ打抜き切除する時、該保持体１６も同様に打抜き切除され、前記分岐口１４として開設された同位置の該保持体１６も同様に切取り、該分岐口１４から共に所定ケーブル１５を分岐取り出ししている。【００４１】  しかして、図１１のその他の実施例のケーブルダクト１ｇは、上記第五の発明と略同様の構成で、図９のケーブルダクト１ｆの内部に設けられている管状の保持体１６を板状としたもので、該板状は、板状ケーブルダクト体１ｉの面から起立状に保持片２８、２８ａを所定間隔を持って形成し、一方の保持片２８ａの先端にＬ字状に形成された当接片２９を設けている。【００４２】  そして、その他の実施例のケーブルダクト１ｇは、上記実施例の板状ケーブルダクト体１ｅに形成される折曲げしろのＶ溝１２を形成しない板状ケーブルダクト体１ｉとして形成し、該板状ケーブルダクト体１ｉが均等に曲がるようにして管状に形成すると共に該管状に接続させて閉じる時の接続係止体２を、上述と同様のものを例示し、また接続係止体２ａのものを使用しても良い。【００４３】  しかして、該ケーブルダクト１ｇの実施例を使用する時、開いた状態の板状ケーブルダクト体１ｉの保持片２８、２８ａの間にケーブル１５、１５、…を配設収納し、また該保持片２８、２８ａの外側にも任意に分けて収納すると共にそのまま丸めるように閉じて接続係止体２で接続掛止され、その時、ケーブルダクト１ｇの内部の保持片２８ａの当接片２９に保持片２８の先端部が当接してケーブル１５、１５、…がそれぞれの収納場所に分かれて収納保持される。【００４４】  また、上記保持体１６と同様に、保持片２８、２８ａにも電磁シールドなどを施して使用する事で、上記と同様の効果が得られる。【００４５】  また、さらに他の実施例を示す図１２のケーブルダクト１ｈは、図１に示す第二の発明のケーブルダクト１の板状ケーブルダクト体１ｅを裏返しにして使用した実施例で、ケーブルダクト１の中に収納するケーブル１５の本数が多い場合又は絶えずケーブルダクト１を屈曲させて使用する場合に接続係止体２が内側に出っ張っていると、その影響で、断線が起こる可能性のある時など効果的に使用できるもので、構成的においては図１のものと同様で、単に裏返して使用するだけであり、その裏返しで使用する事で、複数の効果的な使い方ができる。【００４６】  なお、ケーブルダクト１の端面形状が略四角形状の中空体でそれぞれ下面折曲切除部３、上面折曲切除部４、左側面折曲切除部５と右側面折曲切除部６を形成する事で上下左右に屈曲できることとしているが、ケーブルダクト１ｇのように円筒状に形成する時は、上記下面折曲切除部３、上面折曲切除部４、左側面折曲切除部５と右側面折曲切除部６を等間隔で周面方向に少しずつ切除部を階段状にずらす事で、ケーブルダクト１ｇの曲げ方向を自由屈曲できるように変更してしても良いが、図示は省略した。【００４７】  また、上述の保持体１６の電磁シールは、導電性プラスチック又は表面コーティング、メッキ、溶射など汎用技術に於いて施されるので特に図示は省略した。
【図面の簡単な説明】
【００４８】
【図１】  第二及び第三発明の要部の斜視図である。
【図２】  第二及び第三発明の接続係止体２の接続係止状態を示す要部の正面図である
【図３】  第一発明の板状ケーブルダクト体１ｅを押出成形した状態を示す一部省略した正面図である。
【図４】  第一発明の板状ケーブルダクト体１ｅをプレス加工した状態を示す要部の平面図である。
【図５】  第二及び第三発明のケーブルダクト１を接続係止する状態を示す一部省略した正面図である。
【図６】  第二及び第三発明のケーブルダクト１の接続係止状態を示す正面図である。
【図７】  第四発明の分岐口１４を形成した状態を示す要部の平面図である。
【図８】  第四発明の使用状態を示す要部の斜視図である。
【図９】  第五発明の使用状態を示す正面図である。
【図１０】  第五発明の使用状態を示す要部の斜視図である。
【図１１】  第五発明のその他の実施例の使用状態を示す正面図である。
【図１２】  第二及び第三発明のさらに他の実施例の使用状態を示す正面図である。
【符号の説明】
【００４９】１、１ｆ、１ｇ、１ｈ  ケーブルダクト
１ｅ、１ｉ  板状ケーブルダクト体
２、２ａ  接続係止体
３  下面折曲切除部
４  上面折曲切除部
５  左側面折曲切除部
６  右側面折曲切除部
１３  切取基準部
１４  分岐口
１５  ケーブル
１６  保持体
２８、２８ａ  保持片
【図１】
2008206382.tif 000003
【図２】
2008206382.tif 000004
【図３】
2008206382.tif 000005
【図４】
2008206382.tif 000006
【図５】
2008206382.tif 000007
【図６】
2008206382.tif 000008
【図７】
2008206382.tif 000009
【図８】
2008206382.tif 000010
【図９】
2008206382.tif 000011
【図１０】
2008206382.tif 000012
【図１１】
2008206382.tif 000013
【図１２】
2008206382.tif 000014
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
変形回復力を有する軟質及び硬質を兼ね備えたオレフィン系樹脂（ＰＰ、ＰＥ）のマトリックスにオレフィン系ゴム（ＥＰＲ、ＥＰＤＭ）を微分散させた熱可塑性エラストマーを用いて押出成型の工程とプレス加工の工程により接続係止体を有するケーブルダクトの製造方法に於いて、該ケーブルダクトを該両端部にそれぞれ接続係止体を設けた平面略板状の板状ケーブルダクト体を押出成型する行程と、
該押出成型された板状ケーブルダクト体の所定位置の要部に折曲用切除部をプレスなどで形成する行程を有することを特徴とした屈曲可能なケーブルダクトの製造方法。
【請求項２】
変形回復力を有する軟質及び硬質を兼ね備えたオレフィン系樹脂（ＰＰ、ＰＥ）のマトリックスにオレフィン系ゴム（ＥＰＲ、ＥＰＤＭ）を微分散させた熱可塑性エラストマーを用いて押出成型した接続係止体を有するケーブルダクトに於いて、平面略板状で該両端部にそれぞれ接続係止体を有する板状ケーブルダクト体であって、該板状ケーブルダクト体の両端部の接続係止体で閉じた状態に形成したそのケーブルダクトが、上下左右に屈曲できるように、該板状ケーブルダクト体の所定位置の要部に折曲用切除部と折曲部を所定間隔で連続して形成すると共に該折曲部の位置を上下左右の屈曲に対応する各位置に変更して形成したことを特徴とする屈曲可能なケーブルダクト。
【請求項３】
屈曲可能なケーブルダクトの板状ケーブルダクト体の両端部の接続係止体で閉じた状態に形成したそのケーブルダクトの折曲用切除部に挟まれる該ケーブルダクトの所定面を切除して、切取り分岐口を形成して挿通されるケーブルが分岐取出しできるように、上記ケーブルダクトの所定面の根元である折曲部近傍の該所定面に、折曲用切除部からそれぞれ略Ｖ字状にカットした切取基準部を形成したことを特徴とする請求項２の屈曲可能なケーブルダクト。
【請求項４】
屈曲可能なケーブルダクトの板状ケーブルダクト体の両端部の接続係止体で閉じた状態に形成するそのケーブルダクトの内側の所定位置にケーブル保持体を一体的に設けたことを特徴とする請求項２又は請求項３の屈曲可能なケーブルダクト。
【手続補正２】
【補正対象書類名】明細書
【補正対象項目名】全文
【補正方法】変更
【補正の内容】
【発明の詳細な説明】
【技術分野】
【０００１】  本発明は、ケーブルダクトを上下左右に屈曲させる構造と所定形状に閉じるための接続係止構造を持つケーブルダクト及びその製造方法に関する。
【背景技術】
【０００２】  従来、ケーブルダクトの屈曲構造は、本出願人が出願した、端面が略四角形状の中空体で、一辺が二重に重なり合うその辺で閉じる構造であって、該四角形状で重なり合う辺が若干開いた状態で押出成型し、成型後、その一辺の二重に重なり合う部分から開くように展開して、略門字状の状態に保持し、その状態で上面となる部分を打ち抜き又はドリリングなどの穴開け又は切り込みなどスリットを追加加工により形成して成る屈曲可能なケーブルダクトを形成し、ケーブルを収納する時、該二重に重なり合う辺を内外逆に入れ替えて重ねた状態にし、その辺の形状および材質の弾性を利用して閉じる一方向に屈曲可能なケーブルダクトの製造方法及びそのケーブルダクトがある。（例えば、特許文献１参照）【０００３】  また、本出願人が出願した他の出願のケーブルダクトは、押出成型により下辺中央部が開いた略台形状で成型すると共に要部を切断加工することによってケーブルダクトが一方向に屈曲可能となり、また下辺のその分離した部分の接続係止構造で、ケーブルを収納した時の所定形状に形成する屈曲可能なケーブルダクトを閉じるための接続係止構造がある。（例えば、特許文献２参照）【０００４】  さらに、自由に屈曲するケーブルを保護する構造は、一般的に知られているスパイラルに形成された略チューブ状の物があり、束状のケーブルの上からスパイラル状に巻いて自由に屈曲させてケーブルをまとめ保護するものが産業用機械装置などの配線に多く用いられ、またパソコン周辺機器のケーブルの取り纏めにも用いられ、良く知られている。【０００５】
【特許文献１】  特願２００６−１２８６７６号公報
【特許文献２】  特願２００７年２月１４日提出の特許願
【発明の開示】
【発明が解決しようとする課題】
【０００６】  上述した特許文献１のケーブルダクトは、端面が略四角形状の中空体で、一辺が二重に重なり合うその辺で閉じる構造で、該四角形状で重なり合う辺が若干開いた状態で押出成型されており、次の行程でケーブルダクトの上面から打抜き又はドリリングなどでスリットなどの切込み又は穴を追加加工する時、該ケーブルダクトを開きながらの切断作業で、繁雑で手間が掛かると共に切断加工されたケーブルダクトにケーブルを収納する時も、ケーブルダクトを押し開きながら収納する必要があり、収納作業が煩雑で手間が掛かっており改善が求められていた。【０００７】  また、ケーブル収納後、ケーブルダクトを閉じた状態で保持するのに二重に重なり合う辺の形状および材質の弾性を利用しており、このことにより該ケーブルダクトを繰返し屈曲させるように使用すると、その曲げ歪みによりケーブルが二重に重なり合う該一辺の隙間に入込む可能性があり、それによりケーブルの心線が断線する可能性もあり、また、ケーブルダクトから途中分岐ができなかったので改善が求められていた。【０００８】  そして、そのケーブルダクトの屈曲は、一方向にしか屈曲できないので限られた装置に限定され、汎用性が無く、そこで簡易に上下左右に屈曲させて汎用に使用できる物が求められていた。【０００９】  さらに、従来の特許文献２の屈曲可能なケーブルダクトを閉じるための接続係止構造も、上述特許文献１と略同様で、ケーブルダクトを押し開きながらスリット、穴などの追加加工をし、また同様に押し開きながらケーブルを収納する必要があり、よって追加加工、収納作業が煩雑で手間が掛かっており、またケーブルダクトの屈曲も一方向にしか屈曲できないので、簡易に上下左右に屈曲させて汎用に使用でき、さらに途中分岐ができる物が求められていた。【００１０】  加えて、一般的に知られスパイラル状の結束ケーブル保護部材は、簡易で、多方向に屈曲できるが、長いケーブルを巻きながらの作業は非常に手間が掛かり、一旦巻き終わり、追加でケーブルを加える又は途中でケーブルの分岐変更をする場合、一旦ほどく必要があり、非常に手間な作業で簡易に変更ができなかった。【００１１】  そして、特に、パソコンなどの周辺機器のケーブルは、非常にケーブルに曲がりクセが付いてケーブルダクトに収納するのに、煩雑で手間が掛かり、加えてその曲がりクセの付いたケーブルを収納した状態では、該ケーブルが邪魔になりケーブルダクトを閉じるための接続係止する嵌合作業に手間取り、上述する従来例に共通して作業効率が悪かった。【００１２】  また、近年発達して一般家庭にも引き込まれて一般化されつつある通信用の光ファイバーケーブルは、細くて断線しやすく、ケーブル変形による伝送速度の低下を招くこともあるので、通常ケーブルと混在させて該ケーブルダクトに収納することは、断線、伝送速度の低下などの問題が起こる可能性があり、特に、屈曲、室内配線の取り扱いには注意を要し、これらを解決することが求められていた。
【課題を解決するための手段】
【００１３】    本発明は、上記課題を有効に達成するための第一の解決手段として、ケーブルダクトを押出成型する製造方法に於いて、平面略板状の板状ケーブルダクト体で、該両端部にそれぞれ接続係止体を設けた形状で押出成型する行程と、
該押出成型された板状ケーブルダクト体の所定位置の要部に折曲用切除部をプレスなどで形成する行程で製造することで、屈曲可能なケーブルダクトとするための折曲用切除部をプレスなどで容易に形成することが出来る。【００１４】  また、第二の解決手段として、押出成型されたケーブルダクトが平面略板状で該両端部にそれぞれ接続係止体を有する板状ケーブルダクト体であって、該板状ケーブルダクト体の両端部の接続係止体で閉じた状態に形成したそのケーブルダクトが、上下左右に屈曲できるように、該板状ケーブルダクト体の所定位置の要部に折曲用切除部と折曲部を所定間隔で連続して形成すると共に該折曲部の位置を上下左右の屈曲に対応する各位置に変更して形成しているので、該ケーブルダクトにケーブルを容易に収納し、配線場所を自由に設定できるように上下左右に屈曲する。【００１５】  また、第三の解決手段として、屈曲可能なケーブルダクトの板状ケーブルダクト体の両端部の接続係止体で閉じた状態に形成したそのケーブルダクトの折曲用切除部に挟まれる該ケーブルダクトの所定面を切除して、切取り分岐口を形成して挿通されるケーブルが分岐取出しできるように、上記ケーブルダクトの所定面の根元である折曲部近傍の該所定面に、折曲用切除部からそれぞれ略Ｖ字状にカットした切取基準部を形成することで、ケーブルダクトを上下左右に屈曲させると共にケーブルを所定方向に分岐配線する。【００１６】  また、第四の解決手段として、屈曲可能なケーブルダクトの板状ケーブルダクト体の両端部の接続係止体で閉じた状態に形成するそのケーブルダクトの内側の所定位置にケーブル保持体を一体的に設けているので、断線など影響を受けやすい光ケーブル及び通常ケーブルとそれぞれ分けて収納し、また曲がり癖が付いたケーブルなどを容易に収納する。
【発明の効果】
【００１７】  本発明は、上述した手段によって有効な効果が得られるようにしたもので、特に、第一の発明の製造方法において、変形回復力を有する軟質及び硬質を兼ね備えたオレフィン系樹脂（ＰＰ、ＰＥ）のマトリックスにオレフィン系ゴム（ＥＰＲ、ＥＰＤＭ）を微分散させた熱可塑性エラストマーを用いて押出成型の工程とプレス加工の工程により接続係止体を有するケーブルダクトの製造方法に於いて、該ケーブルダクトを該両端部にそれぞれ接続係止体を設けた平面略板状の板状ケーブルダクト体を押出成型する行程と、
該押出成型された板状ケーブルダクト体の所定位置の要部に折曲用切除部をプレスなどで形成する行程を有する製造方法で製造されるので、
平面略板状の板状ケーブルダクト体として押出成型されるので、板状のそのままの状態で屈曲可能なケーブルダクトとするための折曲用切除部をプレスなどで容易に形成することができるので、作業工程が簡略化でき、コストダウンとなる。【００１８】また、第二の発明のケーブルダクトにおいて、変形回復力を有する軟質及び硬質を兼ね備えたオレフィン系樹脂（ＰＰ、ＰＥ）のマトリックスにオレフィン系ゴム（ＥＰＲ、ＥＰＤＭ）を微分散させた熱可塑性エラストマーを用いて押出成型した接続係止体を有するケーブルダクトに於いて、平面略板状で該両端部にそれぞれ接続係止体を有する板状ケーブルダクト体であって、該板状ケーブルダクト体の両端部の接続係止体で閉じた状態に形成したそのケーブルダクトが、上下左右に屈曲できるように、該板状ケーブルダクト体の所定位置の要部に折曲用切除部と折曲部を所定間隔で連続して形成すると共に該折曲部の位置を上下左右の屈曲に対応する各位置に変更して形成しているので、
ケーブルダクトにケーブルを収納する時、板状ケーブルダクト体を平面略板状の状態で、ケーブルをそこに乗せるようにして収納し、接続係止体で係止する事で閉じて収納作業が完了するので、ケーブル収納作業が簡易で容易となり、またケーブルを追加収納、若しくは取り除く時、従来のスパイラルタイプのケーブル保護材のように、煩雑で手間が掛からず、接続係止体を外すと平面略板状に開くので、追加収納、若しくは取り除きが容易に行える。【００１９】また、折曲用切除部を形成する位置によってケーブルダクトが上下左右に屈曲することができるので、パソコン及び周辺機器などをディスク周りに配置する場合、配線場所の制約が少なくパソコン周りの煩雑な配線を綺麗に整理できる。【００２０】  また、第三の発明の板状ケーブルダクト体において、屈曲可能なケーブルダクトの板状ケーブルダクト体の両端部の接続係止体で閉じた状態に形成したそのケーブルダクトの折曲用切除部に挟まれる該ケーブルダクトの所定面を切除して、切取り分岐口を形成して挿通されるケーブルが分岐取出しできるように、上記ケーブルダクトの所定面の根元である折曲部近傍の該所定面に、折曲用切除部からそれぞれ略Ｖ字状にカットした切取基準部を形成しているので、
ケーブルダクトを上下左右に屈曲させると共に所定の位置の切取基準部からその面の要部を切除できるので、その切除部からケーブルを分岐して取り出し、所定方向に分岐配線が容易にできる。【００２１】  また、第四の発明の板状ケーブルダクト体において、屈曲可能なケーブルダクトの板状ケーブルダクト体の両端部の接続係止体で閉じた状態に形成するそのケーブルダクトの内側の所定位置にケーブル保持体を一体的に設けているので、
該ケーブル保持体に断線など影響を受けやすい光ケーブルを収納する事で、ケーブルダクトの閉じる作業が気を遣うことなく簡易にでき、またケーブル保持体の外側に通常ケーブルを収納することで分けて収納ができ、さらに曲がり癖が付いたケーブルなどを収納する時は、ケーブル保持体に収納する事で、ケーブルダクトの閉じる作業がさらに容易で、保持体にシールドすることでケーブルダクト内に信号線と電力線などノイズを含む線と混在でき、ノイズ対策もできる。
よって、これらのことから本発明は、実用上著大な効果を奏する。
【発明を実施するための最良の形態】
【実施例】
【００２２】  本発明の実施例を図面に基づいて説明すると、図１及び図２に示す第二の発明において、１はケーブルダクトで、該ケーブルダクト１は、端面形状が略四角形状の中空体で、該四角形状のケーブルダクト下面部１ａ中央で接続係止体２により接続形成され、その上部の左右にケーブルダクト側面部１ｂ、１ｃと上面をケーブルダクト上面部１ｄとして接続形成された形状で使用され、また押出成型機により押出成型されたときにおいては、図３に示すような平面板状の板状ケーブルダクト体１ｅとして押出成型される。【００２３】そして、その図１において、ケーブルダクト１のケーブルダクト下面部１ａ側を残してそこを折曲部とし、ケーブルダクト側面部１ｂ、１ｃ及びケーブルダクト上面部１ｄを横断するようにスリット状に切除して下面折曲用切除部３として形成し、また同様にケーブルダクト上面部１ｄを残して折曲部とし、他の面側を切除して上面折曲用切除部４とし、また左右のケーブルダクト側面部１ｂ、１ｃのどちらか一方をそれぞれ切除せずに残して折曲部とし、他の面側を切除して左側面折曲用切除部５と右側面折曲用切除部６をそれぞれ形成すると共に該ケーブルダクト１の長手方向に所定間隔で上記下面折曲用切除部３、上面折曲用切除部４、左側面折曲用切除部５と右側面折曲用切除部６を一つのパターンとして繰り返し連続に形成している。【００２４】  また、図２に示す接続係止体２は、ケーブルダクト下面部１ａの両先端側に略同様の略Ｕ字状にそれぞれ形成し、該Ｕ字状が対向して掛け合いするように一方端にケーブルダクト下面部１ａの延長上に段を持って先端折り返し状のＵ字状係止部７と他方端にその延長上に先端折り返し状のＵ字状係止部７ａをそれぞれ形成している。【００２５】  該Ｕ字状係止部７は、ケーブルダクト下面部１ａに繋がる略Ｕ字状の一方の先端と段差を持って形成し、他方の先端部との間を挿入口部８として略Ｕ字状の係止部を形成すると共に前記繋がる段差の角の部分を基端掛止部９とし、該挿入口部８から奥を誘導部１０として形成している。【００２６】  また、他方端のＵ字状係止部７ａは、他方端のケーブルダクト下面部１ａに繋がる略Ｕ字状で、該略Ｕ字状に若干開いた状態に角度を付けて形成することで該Ｕ字状係止部７ａが挿入口部８に挿入しやすくすると共に略Ｕ字状のその曲がる曲部を当接掛止部１１として形成し、上記挿入口部８からＵ字状係止部７に掛け合い嵌合した時、その基端掛止部９に該当接掛止部１１が当接掛止する。【００２７】  しかして、第一の発明の製造工程において、図３に示す該板状ケーブルダクト体１ｅは、平面板状の両端部に端面形状が略Ｕ字状のＵ字状係止部７とＵ字状係止部７ａをそれぞれ設けた接続係止体２として、押出成型機により押出成型される製造の第一行程で、図中、１２は、端面形状が略四角形状の中空体のケーブルダクト１に形成される時の折曲げしろのＶ溝１２である。【００２８】  なお、ここで押出成型される板状ケーブルダクト体１ｅの材質に関して、変形回復力を有する軟質及び硬質を兼ね備えたオレフィン系樹脂（ＰＰ、ＰＥ）のマトリックスにオレフィン系ゴム（ＥＰＲ、ＥＰＤＭ）を微分散させた熱可塑性エラストマーで、この熱可塑性エラストマーは、弾性変形による回復性と、所定硬度で柔軟性の特性を考慮して選ばれる。【００２９】  また、第二行程は、図４に示すように、第一行程で押出成型された平面板状の板状ケーブルダクト体１ｅをプレスなどで下面折曲用切除部３、上面折曲用切除部４、左側面折曲用切除部５と右側面折曲用切除部６を一つのパターンとして所定間隔でそれぞれ上から打抜き切除し、そのパターンを繰り返し連続して形成する。
なお、図中、１３は、後述する分岐口１４を開設するための切取基準部１３、１３、…である。【００３０】  しかして、このようにして製造された板状ケーブルダクト体１ｅを使用する時、図５に示すように該板状ケーブルダクト体１ｅを裏返しした状態で、その上に乗せるようにしてケーブル１５、１５を収納し、接続係止体２のＵ字状係止部７の挿入口部８にＵ字状係止部７ａの先端から奥の誘導部１０に挿入して嵌合掛止させて、図６に示すように該板状ケーブルダクト体１ｅを閉じてケーブルダクト１として形成する。【００３１】  そこで、該板状ケーブルダクト体１ｅを閉じる時の接続係止体２の係止状態は、先ず、図５に示すＵ字状係止部７の挿入口部８に若干開いた状態に角度が付いたＵ字状係止部７ａを挿入した状態で、矢印Ａ方向から押し込むように力を加える事と、該板状ケーブルダクト体１ｅの板状に戻ろうと開く力によりＵ字状係止部７の誘導部１０にＵ字状係止部７ａが挿入され、基端掛止部９に該当接掛止部１１が当接掛止して、図６に示すようにケーブル１５を収納して閉じる。【００３２】  また、図７に示す第三の発明に於いて、図４の実施例に示す板状ケーブルダクト体１ｅのものを、任意の位置の切取基準部１３、１３、…の略Ｖ字状にカットした部分から端部までのＵ字状係止部７及び当接掛止部１１を切取り、ケーブルダクト下面部１ａとケーブルダクト側面部１ｃを切除することで、それぞれ分岐口１４、１４として開設したもので、図８に示す実施例のように使用する。【００３３】  そこで、図８の実施例は、図１の実施例に示すケーブルダクト１のものを、任意の位置のケーブルダクト下面部１ａとケーブルダクト側面部１ｃの切取基準部１３、１３、…から切取り分岐口１４として開設し、該分岐口１４から所定ケーブル１５を分岐取り出して使用する。【００３４】  また、図９に示す第四の発明に於いて、上記発明のケーブルダクト１と略同様で、相違点は、ケーブルダクト１ｆの内部に管状の保持体１６を設けると共に他の実施例の突合わせ挿入嵌合する接続係止体２ａを設けている。【００３５】  そこで、先ず、該保持体１６は、管状で弾発変形して開閉可能なように、長手方向に分断して形成され、該分断部の両端部に略Ｖ字状となるようなケーブル誘導部１７、１７を形成すると共にそこを誘導挿入口１８として形成して該保持体１６にケーブル１５を容易に収納出来るようにし、また保持体１６に電磁シールドなどを施して電源などのノイズをシールドするようにすれば、ケーブルダクト１ｆと保持体１６に電源ケーブルと信号ケーブルをそれぞれに分けて収納することで、ケーブルダクト１ｆ単体で煩雑な配線がコンパクトにまとめることができる。【００３６】  また、接続係止体２ａは、ケーブルダクト下面部１ａ、１ａのその両端部の一方端に凹状係止体１９と他方端に突状係止体２０をそれぞれ形成し、該凹状係止体１９は、凹状の両先端を挿入口部２１とし、その奥に誘導保持部２２を形成すると共に該凹状の両先端部に当接掛止部２３と先端掛止部２４をそれぞれ形成し、該当接掛止部２３は、先端掛止部２４より若干短寸で先端を尖らせて形成され、一方、先端掛止部２４は、掛止部分が略受け口状に形成されている。【００３７】  そして��他方の突状係止体２０は、先端側を板状の誘導部２５とし、その基端側の上下それぞれに係止部を形成し、その上部側の係止部は、上記当接掛止部２３が当接係止するようにその先端形状に対応した凹状掛止部２６を形成し、一方、その下部側には、上記先端掛止部２４が掛止できるように、該先端形状の掛止に対応した基端掛止部２７を形成している。【００３８】  そこで、その突合わせ嵌合挿入する接続係止体２ａの係止状態は、先ず、図９に示すように凹状係止体１９の両先端の挿入口部２１に、突状係止体２０の誘導部２５を挿入した状態で、ケーブルダクト側面部１ｂ、１ｃの左右から、分割されたケーブルダクト下面部１ａ、１ａを押し縮めるように力を加えることで、凹状係止体１９の誘導保持部２２に誘導部２５が奥まで嵌入され、当接掛止部２３が凹状掛止部２６に当接掛止されると共に先端掛止部２４が基端掛止部２７で掛止される。【００３９】  しかして、図１０の他の実施例は、図９の実施例のケーブルダクト１ｆを図７の板状ケーブルダクト体１ｅと同様に任意の位置の切取基準部１３、１３、…から切取り、分岐口１４として開設し、また、保持体１６は、上記板状ケーブルダクト体１ｅをプレスなどで下面折曲用切除部３、上面折曲用切除部４、左側面折曲用切除部５と右側面折曲用切除部６をそれぞれ打抜き切除する時、該保持体１６も同様に打抜き切除され、前記分岐口１４として開設された同位置の該保持体１６も同様に切取り、該分岐口１４から共に所定ケーブル１５を分岐して取り出している。【００４０】  しかして、図１１に示す、その他の実施例のケーブルダクト１ｇは、上記第四の発明と略同様の構成で、図９のケーブルダクト１ｆの内部に設けられている管状の保持体１６を板状としたもので、該板状は、板状ケーブルダクト体１ｉの面から起立状に保持片２８、２８ａを、所定間隔を持って長手方向に連続して形成し、一方の保持片２８ａの先端にＬ字状に形成された当接片２９を設けている。【００４１】  また、その図１１のケーブルダクト１ｇは、上記実施例の板状ケーブルダクト体１ｅに形成される折曲げしろのＶ溝１２を形成しない板状ケーブルダクト体１ｉとして形成し、該板状ケーブルダクト体１ｉが均等に曲がるようにして管状に形成すると共に該管状に接続させて閉じる時の接続係止体２を、上述と同様のものを例示し、また接続係止体２ａのものを使用しても良い。【００４２】  しかして、該ケーブルダクト１ｇの実施例を使用する時、開いた状態の板状ケーブルダクト体１ｉの保持片２８、２８ａの間にケーブル１５、１５、…を配設収納し、また該保持片２８、２８ａの外側にも任意に分けて収納すると共にそのまま丸めるように閉じて接続係止体２で接続掛止され、その時、ケーブルダクト１ｇの内部の保持片２８ａの当接片２９に保持片２８の先端部が当接してケーブル１５、１５、…がそれぞれの収納場所に分かれて収納保持される。【００４３】  また、上記保持体１６と同様に、保持片２８、２８ａにも電磁シールドなどを施して使用する事で、上記と同様の効果が得られる。【００４４】  さらに、他の実施例を示す図１２のケーブルダクト１ｈは、図１に示す第二の発明のケーブルダクト１の板状ケーブルダクト体１ｅを裏返しにして使用した実施例で、ケーブルダクト１の中に収納するケーブル１５の本数が多い場合又は絶えずケーブルダクト１を屈曲させて使用する場合に、接続係止体２が内側に出っ張っているとその影響で断線が起こる可能性のある時など効果的に使用できるもので、構成的においては図１のものと同様で、単に裏返しにして、接続係止体２が外側に突出させて使用するものであり、通常の内側に突出する状態と、その裏返しで使用する状態とで、複数の効果的な使い方ができる。【００４５】  なお、ケーブルダクト１の端面形状が略四角形状の中空体でそれぞれ下面折曲用切除部３、上面折曲用切除部４、左側面折曲用切除部５と右側面折曲用切除部６を形成する事で上下左右に屈曲できるとしているが、ケーブルダクト１ｇのように円筒状に形成する時は、上記下面折曲用切除部３、上面折曲用切除部４、左側面折曲用切除部５と右側面折曲用切除部６を等間隔で周面方向に少しずつ切除部を階段状に切除部分の位置をずらす事で、ケーブルダクト１ｇの曲げ方向を自由屈曲できるように変更しても良いが、図示は省略した。【００４６】  また、上述の保持体１６の電磁シールは、導電性プラスチック又は表面コーティング、メッキ、溶射など汎用技術に於いて施されるので特に図示は省略した。
【図面の簡単な説明】
【００４７】
【図１】第二発明の要部の斜視図である。
【図２】第二発明の接続係止体２の接続係止状態を示す要部の正面図である
【図３】第一発明の板状ケーブルダクト体１ｅを押出成型した状態を示す、一部省略した正面図である。
【図４】第一発明の板状ケーブルダクト体１ｅをプレス加工した状態を示す要部の平面図である。
【図５】第二発明のケーブルダクト１を接続係止する状態を示す、一部省略した正面図である。
【図６】第二発明のケーブルダクト１の接続係止状態を示す正面図である。
【図７】第三発明の分岐口１４を形成した状態を示す要部の平面図である。
【図８】第三発明の使用状態を示す要部の斜視図である。
【図９】第四発明の使用状態を示す正面図である。
【図１０】第四発明の使用状態を示す要部の斜視図である。
【図１１】第四発明のその他の実施例の使用状態を示す正面図である。
【図１２】第二発明のさらに他の実施例の使用状態を示す正面図である。
【符号の説明】
【００４８】１、１ｆ、１ｇ、１ｈ  ケーブルダクト
１ｅ、１ｉ  板状ケーブルダクト体
２、２ａ  接続係止体
３  下面折曲用切除部
４  上面折曲用切除部
５  左側面折曲用切除部
６  右側面折曲用切除部
１３  切取基準部
１４  分岐口
１５  ケーブル
１６  保持体
２８、２８ａ  保持片
【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
変形回復力を有する熱可塑性エラストマーで押出成型する略板状で、該両端部にそれぞれ接続係止体を有する板状ケーブルダクトに於いて、該板状ケーブルダクト体の該両端部の接続係止体で相互に掛止することで略筒状のケーブルダクトに形成し、該接続係止体は該両端部の接続係止体同士の掛止部と当接掛止部の少なくとも二ヶ所で接続掛止し、また該板状ケーブルダクト体の接続係止体で閉じた状態のケーブルダクトが上下左右に屈曲できるように、該板状ケーブルダクト体の所定位置から横断方向に所定量の長さで折曲用切除部を形成すると共にその延長線上で、略筒状のケーブルダクトの上下面及び左右側面に対応するどれか一面を折曲部として形成し、該折曲用切除部と折曲部を長手方向に所定間隔を持って連続して形成すると共に該折曲部となるその位置は、上下面及び左右側面のどれか一面を同様に順次ずらして形成したことを特徴とする屈曲可能なケーブルダクト。
【請求項２】
板状ケーブルダクト体の該両端部の接続係止体で相互に掛止することで略筒状に形成するケーブルダクトの該略筒状に形成した時、その内側となる所定位置にケーブル保持体を一体的に設けたことを特徴とする請求項１の屈曲可能なケーブルダクト。
【手続補正２】
【補正対象書類名】明細書
【補正対象項目名】全文
【補正方法】変更
【補正の内容】
【発明の詳細な説明】
【技術分野】
【０００１】  本発明は、ケーブルダクトを上下左右に屈曲させる構造と所定形状の筒状に閉じるための接続係止構造を持つ屈曲可能なケーブルダクトに関する。
【背景技術】
【０００２】  従来、ケーブルダクトの屈曲構造は、本出願人が出願した、端面が略四角形状の中空体で、一辺が二重に重なり合うその辺で閉じる構造であって、該四角形状で重なり合う辺が若干開いた状態で押出成型し、成型後、その一辺の二重に重なり合う部分から開くように展開して、略門字状の状態に保持し、その状態で上面となる部分を打ち抜き又はドリリングなどの穴開け又は切り込みなどスリットを追加加工により形成して成る略直線状から一方向に屈曲可能なケーブルダクトを形成し、ケーブルを収納する時、該二重に重なり合う辺を内外逆に入れ替えて重ねた状態にし、その辺の形状および材質の弾性を利用して閉じる一方向に屈曲可能なケーブルダクトの製造方法及びそのケーブルダクトがある。（例えば、特許文献１参照）【０００３】  また、本出願人が出願した他の出願のケーブルダクトは、押出成型により下辺中央部が開いた略台形状で成型すると共に要部を切断加工することによってケーブルダクトが略直線状から一方向に屈曲可能となり、また下辺のその分離した部分の接続係止構造で、ケーブルを収納した時の所定形状に形成する屈曲可能なケーブルダクトを閉じるための接続係止構造がある。（例えば、特許文献２参照）【０００４】  さらに、自由に屈曲するケーブルを保護する構造は、一般的に知られているスパイラルに形成された略チューブ状の物があり、束状のケーブルの上からスパイラル状に巻いて自由に屈曲させてケーブルをまとめ保護するものが産業用機械装置などの配線に多く用いられ、またパソコン周辺機器のケーブルの取り纏めにも用いられ、良く知られている。【０００５】
【特許文献１】  特願２００６−１２８６７６号公報
【特許文献２】  特願２００７年２月１４日提出の特許願
【発明の開示】
【発明が解決しようとする課題】
【０００６】  上述した特許文献１のケーブルダクトは、端面が略四角形状の中空体で、一辺が二重に重なり合うその辺で閉じる構造で、該四角形状で重なり合う辺が若干開いた状態で押出成型されており、次の行程でケーブルダクトの上面から打抜き又はドリリングなどでスリットなどの切込み又は穴を追加加工する時、該ケーブルダクトを開きながらの切断作業で、繁雑で手間が掛かると共に切断加工されたケーブルダクトにケーブルを収納する時も、ケーブルダクトを押し開きながら収納する必要があり、収納作業が煩雑で手間が掛かっており改善が求められていた。【０００７】  また、ケーブル収納後、ケーブルダクトを閉じた状態で保持するのに二重に重なり合う辺の形状および材質の弾性を利用しており、このことにより該ケーブルダクトを繰返し屈曲させるように使用すると、その曲げ歪みによりケーブルが二重に重なり合う該一辺の隙間に入込む可能性があり、それによりケーブルの心線が断線する可能性もあり、また、ケーブルダクトから途中分岐ができなかったので改善が求められていた。【０００８】  そして、そのケーブルダクトの屈曲は、略直線状から一方向にしか屈曲できないので摺動装置を有する限られた装置（一般的に切削機械などに多く用いられるケーブル等の案内装置）に限定され、汎用性が無く、そこで簡易に上下左右に屈曲させて汎用に使用できる物が求められていた。【０００９】  さらに、従来の特許文献２の屈曲可能なケーブルダクトを閉じるための接続係止構造も、上述特許文献１と略同様で、ケーブルダクトを押し開きながらスリット、穴などの追加加工をし、また同様に押し開きながらケーブルを収納する必要があり、よって追加加工、収納作業が煩雑で手間が掛かっており、またケーブルダクトの屈曲も略直線状から一方向にしか屈曲できないので、簡易に上下左右に屈曲させて汎用に使用でき、さらに途中分岐ができる物が求められていた。【００１０】  加えて、一般的に知られスパイラル状の結束ケーブル保護部材は、簡易で、多方向に屈曲できるが、長いケーブルを巻きながらの作業は非常に手間が掛かり、一旦巻き終わり、追加でケーブルを加える又は途中でケーブルの分岐変更をする場合、一旦巻き始めまで又は分岐点までケーブルをほどく必要があり、非常に手間な作業で簡易に変更ができなかった。【００１１】  そして、特に、パソコンなどの周辺機器のケーブルは、非常にケーブルに曲がりクセが付いてケーブルダクトに収納するのに、煩雑で手間が掛かり、加えてその曲がりクセの付いたケーブルを収納した状態では、該ケーブルが邪魔になりケーブルダクトを閉じるための接続係止する嵌合作業に手間取り、上述する従来例に共通して作業効率が悪かった。【００１２】  また、近年発達して一般家庭にも引き込まれて一般化されつつある通信用の光ファイバーケーブルは、細くて断線しやすく、ケーブル変形による伝送速度の低下を招くこともあるので、通常ケーブルと混在させて該ケーブルダクトに収納することは、断線、伝送速度の低下などの問題が起こる可能性があり、特に、屈曲、室内配線の取り扱いには注意を要し、これらを解決することが求められていた。
【課題を解決するための手段】
【００１３】    本発明は、上記課題を有効に達成するための第一の解決手段として、該板状ケーブルダクト体の該両端部の接続係止体で相互に掛止することで略筒状のケーブルダクトに形成し、該接続係止体は該両端部の接続係止体同士の掛止部と当接掛止部の少なくとも二ヶ所で接続掛止し、また該板状ケーブルダクト体の接続係止体で閉じた状態のケーブルダクトが上下左右に屈曲できるように、該板状ケーブルダクト体の所定位置から横断方向に所定量の長さで折曲用切除部を形成すると共にその延長線上で、略筒状のケーブルダクトの上下面及び左右側面に対応するどれか一面を折曲部として形成し、該折曲用切除部と折曲部を長手方向に所定間隔で連続して形成すると共に該折曲部となるその位置は、上下面及び左右側面のどれか一面を同様に順次ずらして形成しているので、該ケーブルダクトにケーブルを容易に収納し、配線場所を自由に設定できるように上下左右に屈曲する。【００１４】  また、第二の解決手段として、板状ケーブルダクト体の該両端部の接続係止体で相互に掛止することで略筒状に形成するケーブルダクトの該略筒状に形成した時、その内側となる所定位置にケーブル保持体を一体的に設けているので、断線など影響を受けやすい光ケーブル及び通常ケーブルとそれぞれ分けて収納し、また曲がり癖が付いたケーブルなどを収納する。
【発明の効果】
【００１５】    本発明は、上述した手段によって有効な効果が得られるようにしたもので、特に、第一の発明は、変形回復力を有する熱可塑性エラストマーで押出成型する略板状で、該両端部にそれぞれ接続係止体を有する板状ケーブルダクトに於いて、該板状ケーブルダクト体の該両端部の接続係止体で相互に掛止することで略筒状のケーブルダクトに形成し、該接続係止体は該両端部の接続係止体同士の掛止部と当接掛止部の少なくとも二ヶ所で接続掛止し、また該板状ケーブルダクト体の接続係止体で閉じた状態のケーブルダクトが上下左右に屈曲できるように、該板状ケーブルダクト体の所定位置から横断方向に所定量の長さで折曲用切除部を形成すると共にその延長線上で、略筒状のケーブルダクトの上下面及び左右側面に対応するどれか一面を折曲部として形成し、該折曲用切除部と折曲部を長手方向に所定間隔で連続して形成すると共に該折曲部となるその位置は、上下面及び左右側面のどれか一面を同様に順次ずらして形成しているので、
ケーブルダクトにケーブルを収納する時、板状ケーブルダクト体を平面略板状の状態で、ケーブルをそこに乗せるようにして収納し、接続係止体で係止する事で筒状に閉じて収納作業が完了するので、ケーブル収納作業が簡易で容易となり、またケーブルを追加収納、若しくは取り除く時、従来のスパイラルタイプのケーブル保護材のように、煩雑で手間が掛からず、接続係止体を外すと平面略板状に開くので、追加収納、若しくは取り除きが容易に行える。【００１６】  また、折曲用切除部を形成する位置によってケーブルダクトが上下左右に屈曲することができるので、パソコン及び周辺機器などをディスク周りに配置する場合、配線場所の制約が少なくパソコン周りの煩雑な配線を綺麗に整理できる。【００１７】  さらに、第二の発明は、板状ケーブルダクト体の該両端部の接続係止体で相互に掛止することで略筒状に形成するケーブルダクトの該略筒状に形成した時、その内側となる所定位置にケーブル保持体を一体的に設けているので、
該ケーブル保持体に断線など影響を受けやすい光ケーブルを収納する事で、ケーブルダクトの閉じる作業が気を遣うことなく簡易にでき、またケーブル保持体の外側に通常ケーブルを収納することで分けて収納ができ、さらに曲がり癖が付いたケーブルなどを収納する時は、ケーブル保持体に収納する事で、ケーブルダクトの閉じる作業がさらに容易で、保持体にシールドすることでケーブルダクト内に信号線と電力線などノイズを含む線と混在でき、ノイズ対策もできる。【００１８】  加えて、平面略板状の板状ケーブルダクト体として押出成型されるので、板状のそのままの状態で屈曲可能なケーブルダクトとするための折曲用切除部をプレス切断加工で容易に形成することができるので、作業工程が簡略化でき、コストダウンとなる。【００１９】  また、ケーブルダクトを上下左右に屈曲させると共に所定の位置の切取基準部からその面の要部を切除できるので、その切除部からケーブルを分岐して取り出し、上下左右の所定方向に分岐配線が容易にでき、よって、これらのことから本発明は、実用上著大な効果を奏する。
【発明を実施するための最良の形態】
【実施例】
【００２０】  本発明の実施例を図面に基づいて説明すると、図１及び図２に示すように、１はケーブルダクトで、該ケーブルダクト１は、端面形状が略四角形状の中空体で、該四角形状のケーブルダクト下面部１ａ中央で接続係止体２により接続形成され、その上部の左右にケーブルダクト側面部１ｂ、１ｃと上面をケーブルダクト上面部１ｄとして接続形成された形状で使用され、また押出成型機により押出成型されたときにおいては、図３に示すような平面板状の板状ケーブルダクト体１ｅとして押出成型される。【００２１】  そして、その図１において、ケーブルダクト１のケーブルダクト下面部１ａ側を残してそこを折曲部とし、ケーブルダクト側面部１ｂ、１ｃ及びケーブルダクト上面部１ｄを横断するようにスリット状に切除して下面折曲用切除部３として形成し、また同様にケーブルダクト上面部１ｄ側を残して折曲部とし、上述のように他の面側を切除して上面折曲用切除部４とし、また左右のケーブルダクト側面部１ｂ、１ｃ側のどちらか一方をそれぞれ切除せずに残して折曲部とし、同様に他の面側を切除して図示のように左側面折曲用切除部５と右側面折曲用切除部６をそれぞれ形成すると共に該ケーブルダクト１の長手方向に所定間隔で上記下面折曲用切除部３、上面折曲用切除部４、左側面折曲用切除部５と右側面折曲用切除部６を一つのパターンとして繰り返し連続に形成している。【００２２】  また、図２に示す接続係止体２は、図３に示すように、板状の板状ケーブルダクト体１ｅの両端側に、それぞれ略同様の略Ｕ字状に形成し、該略Ｕ字状がお互いに掛け合いできるように、一方端側にケーブルダクト下面部１ａの延長線上から段差状となる先端折り返し状のＵ字状係止部７と、他方端側のその延長線上に先端折り返し状のＵ字状係止部７ａをそれぞれ形成している。【００２３】  該Ｕ字状係止部７は、ケーブルダクト下面部１ａの側端部の延長線上に、段差を持って形成し、該段差部近傍の略Ｕ字状に折り返すその先端部との間に所定間隔を形成し、そこを挿入口部８として形成すると共に前記繋がる該段差部の角の部分を基端掛止部９とし、該挿入口部８から奥を誘導部１０として形成している。【００２４】  また、Ｕ字状係止部７ａは、ケーブルダクト下面部１ａの端部の延長線上から折り返すように略Ｕ字状に形成し、且つ該略Ｕ字状の先端側を若干開いた状態に角度を付けて形成することで、該Ｕ字状係止部７ａの先端を挿入口部８に挿入しやすくすると共に略Ｕ字状のその曲がる曲部を当接掛止部１１として形成し、上記挿入口部８からＵ字状係止部７に掛け合い嵌合した一ヶ所目の掛止とその時、その基端掛止部９に該当接掛止部１１が当接掛止して、二ヶ所目の掛止の抜け止め掛止となる。【００２５】    しかして、その製造工程において、図３に示す該板状ケーブルダクト体１ｅは、平面板状の両端部に端面形状が略Ｕ字状のＵ字状係止部７とＵ字状係止部７ａをそれぞれ設けた接続係止体２として押出成型機により押出成型され、図中、１２は、端面形状が略四角形状の中空体のケーブルダクト１に形成される時の折曲げ部のＶ溝１２である。【００２６】該Ｖ溝１２は、ケーブルダクト下面部１ａ、ケーブルダクト側面部１ｂ、ケーブルダクト上面部１ｄ、ケー���ルダクト側面部１ｃの各つなぎ目の部分に図中４ヶ所、長手方向にＶ溝状に凹設され、該Ｖ溝１２から各ケーブルダクト下面部１ａ、ケーブルダクト側面部１ｂ、ケーブルダクト上面部１ｄ、ケーブルダクト側面部１ｃを折り曲げることで略四角形状の中空体の筒状に形成される時の折曲げ部である。【００２７】  なお、ここで押出成型される板状ケーブルダクト体１ｅの材質に関して、変形回復力を有する軟質及び剛性を備えたオレフィン系樹脂（ＰＰ、ＰＥ）のマトリックスにオレフィン系ゴム（ＥＰＲ、ＥＰＤＭ）を微分散させた熱可塑性エラストマーで、この熱可塑性エラストマーは、弾性変形による回復性と、所定硬度で柔軟性の特性を考慮して選ばれる。【００２８】  また、図４に示すように、上記押出成型された平面板状の板状ケーブルダクト体１ｅをプレス切断機で下面折曲用切除部３、上面折曲用切除部４、左側面折曲用切除部５と右側面折曲用切除部６を一つのパターンとして所定間隔でそれぞれ上から打抜き切除し、そのパターンを繰り返し連続して形成する。【００２９】該下面折曲用切除部３は、ケーブルダクト側面部１ｂ、ケーブルダクト上面部１ｄ、ケーブルダクト側面部１ｃの部分を、
上面折曲用切除部４は、ケーブルダクト下面部１ａ、ケーブルダクト側面部１ｂ、ケーブルダクト側面部１ｃの部分を、
左側面折曲用切除部５は、ケーブルダクト下面部１ａ、ケーブルダクト上面部１ｄ、ケーブルダクト側面部１ｃの部分を、
右側面折曲用切除部６は、ケーブルダクト下面部１ａ、ケーブルダクト側面部１ｂ、ケーブルダクト上面部１ｄの上記各面の部分であって、その各対応する面のＶ溝１２からＶ溝１２までの間をそれぞれ打抜き切除して形成している。【００３０】また、図中１３は、後述する分岐口１４を開設するための切取基準部１３、１３、…で、図４に示すように、上面折曲用切除部４と左側面折曲用切除部５の間のケーブルダクト下面部１ａとケーブルダクト側面部１ｂの折曲げ用Ｖ溝１２の部分と、
ケーブルダクト側面部１ｃとケーブルダクト上面部１ｄの折曲げ用Ｖ溝１２の部分に略Ｖ字状の切欠部を、上面折曲用切除部４と左側面折曲用切除部５から対向する位置で切欠形成し、切取基準部１３、１３、…としている。【００３１】  しかして、このようにして形成された板状ケーブルダクト体１ｅを使用する時、図５に示すように該板状ケーブルダクト体１ｅの略中央部の上に載せるようにしてケーブル１５、１５を収納し、その状態で四角形状の略筒状になるように、各Ｖ溝１２、１２、…から折り曲げながらＵ字状係止部７ａの先端部を、接続係止体２のＵ字状係止部７の挿入口部８に挿入すると共に誘導部１０の奥に挿入して、嵌合掛止させて、図６に示すように該板状ケーブルダクト体１ｅを閉じて、四角形状の略筒状に形成したケーブルダクト１として使用する。【００３２】  そこで、該板状ケーブルダクト体１ｅを閉じる時の接続係止体２の係止状態は、先ず、図５に示すＵ字状係止部７の挿入口部８に若干開いた状態に角度が付いたＵ字状係止部７ａの先端部を挿入した状態で、矢印Ａ方向から押し込むように力を加える事と、該板状ケーブルダクト体１ｅが板状に戻ろうと開く力によりＵ字状係止部７の誘導部１０にＵ字状係止部７ａが奥まで挿入されて、一ヶ所目の掛止とし、その嵌合された状態で基端掛止部９に該当接掛止部１１が当接掛止し、その時、板状ケーブルダクト体１ｅが板状に戻ろうと開く方向の力で掛止されて一ヶ所目の掛止とし、また当接掛止部１１が浮き上がり方向に力が働くと、基端掛止部９に当接係止され二ヶ所目の掛止となり、図６に示すようにケーブル１５を収納して閉じられている。【００３３】そこで、ケーブルダクト１を上下左右方向に屈曲させるとき、図１において、先ず、下方向に曲げるとき、下面折曲用切除部３を開くようにケーブルダクト下面部１ａを曲げ、同様に上方向に曲げるときは、上面折曲用切除部４を開くようにケーブルダクト上面部１ｄを曲げ、同様に左方向に曲げるときは、左側面折曲用切除部５を開くようにケーブルダクト側面部１ｂを曲げ、同様に右方向に曲げるときは、右側面折曲用切除部６を開くようにケーブルダクト側面部１ｃを曲げることで各方向に曲げることができ、下面折曲用切除部３、上面折曲用切除部４、左側面折曲用切除部５と右側面折曲用切除部６の全体を歪ませるように捻ることにより、後述するように自由屈曲が可能となる。【００３４】  また、図７に於いて、上述図４の実施例に示す板状ケーブルダクト体１ｅのものを、任意の位置の切取基準部１３、１３、…の略Ｖ字状にカットした部分から端部までのＵ字状係止部７及び当接掛止部１１を切取り、ケーブルダクト下面部１ａとケーブルダクト側面部１ｃを切除することで、それぞれ分岐口１４、１４として開設したもので、図８に示す実施例のように、ケーブル１５を分岐して使用する実施例を示している。【００３５】  そこで、図８の実施例は、図１の実施例に示すケーブルダクト１のものを、所望の位置のケーブルダクト下面部１ａとケーブルダクト側面部１ｃの切取基準部１３、１３、…から切取り、分岐口１４として開設し、該分岐口１４から所定ケーブル１５を分岐取り出して使用する実施例を示している。【００３６】  また、図９に示��第二の発明に於いて、上記発明のケーブルダクト１と略同様の構成を有する板状ケーブルダクト体１ｅで形成されたケーブルダクト１ｆで、相違点は、ケーブルダクト１ｆの内部に略管状の保持体１６を設けると共に他の係止構造を有する実施例の突合わせ挿入嵌合する接続係止体２ａを設けている。【００３７】  そこで、先ず、該保持体１６は、略管状で弾発変形して開閉可能なように、長手方向に分断して形成され、該分断部の両端部に略Ｖ字状となるようなケーブル誘導部１７、１７を形成すると共にそこを誘導挿入口１８として形成して該保持体１６にケーブル１５を容易に収納出来るようにし、また保持体１６に電磁シールドなどを施して電源などのノイズをシールドするようにすれば、ケーブルダクト１ｆと保持体１６に電源ケーブルと信号ケーブルをそれぞれに分けて収納することで、ケーブルダクト１ｆ単体で煩雑な配線がコンパクトにまとめることができる。【００３８】  また、接続係止体２ａは、ケーブルダクト下面部１ａ、１ａのその両端部の一方端に凹状係止体１９と他方端に突状係止体２０をそれぞれ形成し、該凹状係止体１９は、凹状の両先端を挿入口部２１とし、その奥に誘導保持部２２を形成すると共に該凹状の両先端部に当接掛止部２３と先端掛止部２４をそれぞれ形成し、該当接掛止部２３は、先端掛止部２４より若干短寸で先端を尖らせて形成され、一方、先端掛止部２４は、掛止部分が略受け口状に形成されている。【００３９】  そして、他方の突状係止体２０は、先端側を板状の誘導部２５とし、その基端側の上下それぞれに係止部を形成し、その上部側の係止部は、上記当接掛止部２３が当接係止するようにその先端形状に対応した凹状掛止部２６を形成し、一方、その下部側には、上記先端掛止部２４が掛止できるように、該先端形状の掛止に対応した基端掛止部２７を形成している。【００４０】  そこで、その突合わせ嵌合挿入する接続係止体２ａの係止状態は、先ず、図９に示すように凹状係止体１９の両先端の挿入口部２１に、突状係止体２０の誘導部２５を挿入した状態で、ケーブルダクト側面部１ｂ、１ｃの左右から、分割されたケーブルダクト下面部１ａ、１ａを押し縮めるように力を加えることで、凹状係止体１９の誘導保持部２２に誘導部２５が奥まで嵌入され、先端掛止部２４が基端掛止部２７で掛止され第一の掛止となると共に当接掛止部２３が凹状掛止部２６に当接掛止され第二の掛止となる。【００４１】  しかして、図１０の第二の発明の他の実施例は、図９の実施例のケーブルダクト１ｆを図７の板状ケーブルダクト体１ｅと同様に任意の位置の切取基準部１３、１３、…から切取り切除して、分岐口１４として開設し、また、保持体１６は、上記板状ケーブルダクト体１ｅをプレス切断機で下面折曲用切除部３、上面折曲用切除部４、左側面折曲用切除部５と右側面折曲用切除部６をそれぞれ形成する時、該保持体１６も同様に切除部を形成すると共に前記分岐口１４として開設し、同位置の該保持体１６も同様に切取り切除して、該分岐口１４から該保持体１６の所定ケーブル１５を分岐、取り出状態の実施例を示している。【００４２】  しかして、図１１に示す、その他の実施例のケーブルダクト１ｇは、上記第二の発明と略同様の構成��、相違点において、折曲げ部のＶ溝１２を形成せず、また図９のケーブルダクト１ｆの内部に設けられている管状の保持体１６を直立した板状としたもので、該板状は、板状ケーブルダクト体１ｉの面から起立状に保持片２８、２８ａを、所定間隔を持って長手方向に連続して形成し、図示するように一方の保持片２８ａの上部先端に当接片２９を略Ｌ字状に形成して、他方の保持片２８の先端近傍で当接するように形成している。【００４３】  また、その図１１のケーブルダクト１ｇは、上記実施例の板状ケーブルダクト体１ｅに形成される折曲げ部のＶ溝１２を形成しない板状ケーブルダクト体１ｉとして形成し、該板状ケーブルダクト体１ｉが均等に曲がるようにして管状に形成すると共に該管状に接続させて閉じる時の接続係止体２を、上述と同様のものを例示し、また接続係止体２ａのものを使用しても良い。【００４４】  しかして、該ケーブルダクト１ｇの実施例を使用する時、開いた状態の板状ケーブルダクト体１ｉの保持片２８、２８ａの間にケーブル１５、１５、…をそれぞれ配設収納し、また該保持片２８、２８ａの外側にも任意に分けて配設収納すると共にそのまま丸めるように閉じて接続係止体２で接続掛止され、その時、ケーブルダクト１ｇの内部の保持片２８ａの当接片２９に保持片２８の先端部が当接してケーブル１５、１５、…がそれぞれの収納場所に分かれて収納保持される。【００４５】  また、上記保持体１６と同様に、保持片２８、２８ａにも電磁シールドなどを施して使用する事で、上記実施例と同様の効果が得られる。【００４６】  さらに、他の実施例を示す図１２のケーブルダクト１ｈは、図１に示す第一の発明のケーブルダクト１の板状ケーブルダクト体１ｅを裏返しにして逆の面側を用いて、使用した実施例で、ケーブルダクト１の中に収納するケーブル１５の本数が多い場合又は絶えずケーブルダクト１を屈曲させて使用する場合に、接続係止体２が内側に出っ張っているとその影響で断線が起こる可能性のある時など効果的に使用できるもので、構成的においては図１のものと同様で、単に裏返しにして逆の面側を用いて、接続係止体２が外側に突出させて使用するものであり、通常の内側に突出する状態と、その裏返しで使用する状態とで、複数の効果的な使い方ができる。【００４７】  なお、ケーブルダクト１の端面形状が略四角形状の中空体でそれぞれ下面折曲用切除部３、上面折曲用切除部４、左側面折曲用切除部５と右側面折曲用切除部６を形成する事で上下左右に屈曲できるとしているが、ケーブルダクト１ｇのように円筒状に形成する時は、上記下面折曲用切除部３、上面折曲用切除部４、左側面折曲用切除部５と右側面折曲用切除部６を等間隔で周面方向に、切除部を階段状に少しずつ位置をずらす事で、ケーブルダクト１ｇの曲げ方向を自由屈曲できるように変更しても良いが、図示は省略した。【００４８】  また、上述の保持体１６の電磁シールは、導電性プラスチック又は表面コーティング、メッキ、溶射など汎用技術に於いて施されるので特に図示は省略した。
【図面の簡単な説明】
【００４９】
【図１】本発明の要部の斜視図である。
【図２】本発明の接続係止体２の接続係止状態を示す要部の正面図である
【図３】本発明の板状ケーブルダクト体１ｅを押出成型した状態を示す、一部省略した正面図である。
【図４】本発明の板状ケーブルダクト体１ｅをプレス切断加工した状態を示す要部の平面図である。
【図５】本発明のケーブルダクト１を接続係止する状態を示す、一部省略した正面図である。
【図６】本発明のケーブルダクト１の接続係止状態を示す正面図である。
【図７】本発明の分岐口１４を形成した状態を示す要部の平面図である。
【図８】本発明のその他の使用状態を示す要部の斜視図である。
【図９】第二発明の使用状態を示す正面図である。
【図１０】第二発明の使用状態を示す要部の斜視図である。
【図１１】第二発明のその他の実施例の使用状態を示す正面図である。
【図１２】本発明のさらに他の実施例の使用状態を示す正面図である。
【符号の説明】
【００５０】  １、１ｆ、１ｇ、１ｈ  ケーブルダクト
１ｅ、１ｉ  板状ケーブルダクト体
２、２ａ  接続係止体
３  下面折曲用切除部
４  上面折曲用切除部
５  左側面折曲用切除部
６  右側面折曲用切除部
１３  切取基準部
１４  分岐口
１５  ケーブル
１６  保持体
２８、２８ａ  保持片